(57)【要約】【課題】ソース機器とシンク機器との認証のバージョンが異なる場合であっても、映像を出力するまでに必要な時間を短くすること。【解決手段】ＡＶアンプ１（中継装置）は、ＢＤプレーヤー１００（ソース機器）とテレビ２００（シンク機器）との間に接続される。また、ＡＶアンプ１は、制御部２を備える。制御部２は、テレビ２００（シンク機器）との認証を、HDCP1.4（第１の認証）で行う場合、ＡＶアンプ１（自機器）が、HDCP1.4（第１の認証）と異なるHDCP2.2（第２の認証）に対応可能であっても、ＢＤプレーヤー１００（ソース機器）が、HDCP1.4（第１の認証）で、ＡＶアンプ１（自機器）との認証を行うように、ＢＤプレーヤー１００（ソース機器）に通知する。【選択図】図２
2020102744.tif 000002
【特許請求の範囲】
【請求項１】
ソース機器とシンク機器との間に接続される中継装置であって、
制御部を備え、
前記制御部は、
前記シンク機器との認証を、第１の認証で行う場合、自機器が、第１の認証と異なる第２の認証に対応可能であっても、前記ソース機器が、前記第１の認証で、自機器との認証を行うように、前記ソース機器に通知することを特徴とする中継装置。
【請求項２】
前記ソース機器から出力される信号を受信するための受信部をさらに備え、
前記制御部は、前記受信部のレジスタを、入力ポートが、前記第１の認証のみに対応していることを示すように変更することで、前記ソース機器が、前記第１の認証で、自機器との認証を行うように通知することを特徴とする請求項１に記載の中継装置。
【請求項３】
前記制御部は、
前記シンク機器との認証を、前記第２の認証で行う場合、前記レジスタを、前記入力ポートが、前記第２の認証に対応していることを示すように変更することを特徴とする請求項２に記載の中継装置。
【請求項４】
前記認証は、HDCP（High-bandwidth Digital Content Protection）規格に基づく認証であることを特徴とする請求項１〜３のいずれか１項に記載の中継装置。
【請求項５】
前記第１の認証は、HDCP（High-bandwidth Digital Content Protection）1.4規格に基づくことを特徴とする請求項１〜４のいずれか１項に記載の中継装置。
【請求項６】
前記第２の認証は、HDCP（High-bandwidth Digital Content Protection）2.2規格に基づくことを特徴とする請求項１〜５のいずれか１項に記載の中継装置。
【発明の詳細な説明】
【技術分野】
【０００１】
本発明は、ソース機器が出力した映像信号等をシンク機器に出力する中継装置に関する。
【背景技術】
【０００２】
ソース機器（例えば、Blu-ray（登録商標） Disc プレーヤー）と、シンク機器（例えば、テレビ）との間が、HDMI（登録商標。High-Definition Multimedia Interface）で接続され、ソース機器からの映像、及び、音声信号をシンク機器に出力するＡＶアンプのようなリピータ機器（中継装置）において、通常、HDMIのDDCラインを通じて、HDCP（High-bandwidth Digital Content Protection）による認証が行われる（HDCP認証については、例えば、特許文献１参照。）。
【０００３】
HDCPは、ソース機器から出力される映像信号、音声信号等のデジタルデータが暗号化され、コンテンツが不正にコピーされるのを防止する著作権保護技術の一つである。現状、HDCP認証には、１．４と２．２のバージョンが存在し、それぞれのバージョン毎に、認証の暗号化が異なる。ソース機器、シンク機器において、対応しているHDCP認証のバージョンが異なる場合がある。例えば、HDCP1.4のバージョンにしか対応していないシンク機器に、HDCP2.2のバージョンに対応したソース機器が接続された場合、ソース機器は、シンク機器に対して、HDCP1.4の認証で認証を行わなければ、映像、音声信号をシンク機器に出力することができない。
【０００４】
上記のように、リピータ機器に接続されるソース機器、シンク機器において、HDCPのバージョンが異なる場合、リピータ機器は、ソース機器、シンク機器のHDCPのバージョンの違いを考慮する必要がある。
【０００５】
図４は、ソース機器とシンク機器とで、HDCP認証のバージョンが異なる場合を示す図である。HDCP2.2に対応しているリピータ機器は、ソース機器に対して、HDCP2.2に対応している情報を、DDCラインを通じて示している。HDCP2.2に対応しているソース機器は、リピータ機器が、HDCP2.2に対応している状況であれば、HDCP2.2での認証を行う。ここで、リピータ機器が、ソース機器とHDCP2.2で認証を行うことに対して、シンク機器が、HDCP1.4にしか対応していなかった場合、リピータ機器は、シンク機器とHDCP1.4での認証を行う。このとき、リピータ機器は、HDCP2.2で認証を行っているソース機器からの映像信号を、HDCP1.4で認証を行っているシンク機器に出力することはできない。
【０００６】
上記の条件の場合、図５に示すように、リピータ機器は、シンク機器のHDCP認証の公開キーであるKSV Listデータとともに、HDCP1.4で認証されている機器が接続されていることを、DDCラインを通じて、ソース機器に通知する。ソース機器は、リピータ機器からの通知を受けて、リピータ機器に対して、HDCP1.4で再認証通知を行う。これによって、リピータ機器は、ソース機器からの映像信号をシンク機器に出力することができる。このように、リピータ機器は、ソース機器とシンク機器とのHDCP認証のバージョンが異なる場合に、ソース機器に対して、シンク機器のHDCPバージョンにあわせた再認証を促すような処理を行うことで、最終的に、ソース機器のHDCPのバージョンと、シンク機器のHDCPのバージョンと、が合致する認証となるようにし、ソース機器からの映像信号をシンク機器に出力することとなる。
【先行技術文献】
【特許文献】
【０００７】
【特許文献１】特開２０１４−１７５７３６号公報
【発明の概要】
【発明が解決しようとする課題】
【０００８】
しかしながら、リピータ機器は、結果的に、ソース機器に再認証を促すため、映像出力するまでに、通常のHDCP動作よりも、時間がかかることとなり、シンク機器に映像出力するまでに、時間がかかることとなる。
【０００９】
本発明の目的は、ソース機器とシンク機器との認証のバージョンが異なる場合であっても、映像を出力するまでに必要な時間を短くすることである。
【課題を解決するための手段】
【００１０】
第１の発明の中継装置は、ソース機器とシンク機器との間に接続される中継装置であって、制御部を備え、前記制御部は、前記シンク機器との認証を、第１の認証で行う場合、自機器が、第１の認証と異なる第２の認証に対応可能であっても、前記ソース機器が、前記第１の認証で、自機器との認証を行うように、前記ソース機器に通知することを特徴とする。
【００１１】
本発明では、制御部は、シンク機器との認証を、第１の認証で行う場合、自機器が、第１の認証と異なる第２の認証に対応可能であっても、ソース機器が、第１の認証で、自機器との認証を行うように、ソース機器に通知する。これにより、ソース機器は、中継装置との再認証を行わない。このため、ソース機器とシンク機器との認証のバージョンが異なる場合であっても、映像を出力するまでに必要な時間を短くすることができる。また、再認証が行われないため、映像出力の失敗が防止される。
【００１２】
第２の発明の中継装置は、第１の発明の中継装置において、前記ソース機器から出力される信号を受信するための受信部をさらに備え、前記制御部は、前記受信部のレジスタを、入力ポートが、前記第１の認証のみに対応していることを示すように変更することで、前記ソース機器が、前記第１の認証で、自機器との認証を行うように通知することを特徴とする。
【００１３】
第３の発明の中継装置は、第２の発明の中継装置において、前記制御部は、前記シンク機器との認証を、前記第２の認証で行う場合、前記レジスタを、入力ポートが、前記第２の認証に対応していることを示すように変更することを特徴とする。
【００１４】
第４の発明の中継装置は、第１〜第３のいずれかの発明の中継装置において、前記認証は、HDCP（High-bandwidth Digital Content Protection）規格に基づく認証であることを特徴とする。
【００１５】
第５の発明の中継装置は、第１〜第４のいずれかの発明の中継装置において、前記第１の認証は、HDCP（High-bandwidth Digital Content Protection）1.4規格に基づくことを特徴とする。
【００１６】
第６の発明の中継装置は、第１〜第５のいずれかの発明の中継装置において、前記第２の認証は、HDCP（High-bandwidth Digital Content Protection）2.2規格に基づくことを特徴とする。
【００１７】
本発明によれば、ソース機器とシンク機器との認証のバージョンが異なる場合であっても、映像を出力するまでに必要な時間を短くすることができる。
【図面の簡単な説明】
【００１８】
【図１】本発明の実施形態に係るＡＶアンプの構成を示すブロック図である。
【図２】リピータ機器（ＡＶアンプ）の動作を説明するための図である。
【図３】テレビとのHDCP認証開始後のＡＶアンプの処理動作を示すフローチャートである。
【図４】ソース機器とシンク機器とで、HDCP認証のバージョンが異なる場合を示す図である。
【図５】ソース機器とシンク機器とで、HDCP認証のバージョンが異なる場合を示す図である。
【発明を実施するための形態】
【００１９】
以下、本発明の実施形態について説明する。図１は、本実施形態に係るＡＶアンプの構成を示すブロック図である。ＡＶアンプ１（中継装置、リピータ機器）は、例えば、ソース機器であるＢＤ（Blu-ray（登録商標） Disc）プレーヤー１００と接続されている。また、ＡＶアンプ１は、例えば、シンク機器であるテレビ２００と接続されている。ＡＶアンプ１は、ＢＤプレーヤー１００から入力される映像信号を、外部のディスプレイ２００に出力するリピータ機能を有する。なお、ＡＶアンプ１には、音声信号も入力される。そして、ＡＶアンプ１は、音声信号を外部のスピーカーに出力するが、説明の簡単のため、音声信号の出力については説明を省略する。
【００２０】
図１に示すように、ＡＶアンプ１は、制御部２、記憶部３、表示部４、操作部５、ＨＤＭＩ（登録商標）入力ポート（以下、単に「入力ポート」という。）６、ＨＤＭＩ受信部（以下、単に「受信部」という。）７、ビデオプロセッサ８、ＨＤＭＩ（登録商標）送信部（以下、単に「送信部」という。）９、ＨＤＭＩ（登録商標）出力ポート（以下、単に「出力ポート」という。）１０を備える。
【００２１】
制御部２は、記憶部３に記憶されたプログラムに従って、ＡＶアンプ１を構成する各部を制御する。記憶部３は、制御部２の主メモリとして機能するＲＡＭ（Random Access Memory）、プログラムを記憶するＲＯＭ（Read Only Memory）から構成されている。なお、記憶部３は、例示する構成に限られず、フラッシュメモリやＨＤＤ（Hard Disk Drive）等を含んでいてもよい。
【００２２】
表示部４は、設定画面等を表示するものであり、ＬＣＤ（液晶ディスプレイ）、蛍光表示管等である。操作部５は、ユーザー操作を受け付けるためのものであり、ＡＶアンプ１の筐体に設けられた操作ボタン、リモートコントローラー等である。入力ポート６には、ＢＤプレーヤー１００が接続されており、ＢＤプレーヤー１００が再生するデジタル映像信号が入力される。
【００２３】
受信部７は、入力ポート６から入力されるデジタル映像信号を受信する。また、受信部７は、デジタル映像信号をビデオプロセッサ８に出力する。ビデオプロセッサ８は、デジタル映像信号を、送信部９に出力する。送信部９は、デジタル映像信号を、出力ポート９を介して、テレビ２００に送信する。テレビ２００は、ＡＶアンプ１から入力されたデジタル映像信号に基づいて、映像を表示する。
【００２４】
従来技術においては、リピータ機器（ＡＶアンプ１）に接続されるソース機器（ＢＤプレーヤー１００）、シンク機器（テレビ２００）のHDCPのバージョンが異なる場合に、リピータ機器は、ソース機器にシンク機器のHDCP1.4認証にあわせて、ソース機器がHDCP1.4で再認証を行うように、通知しなければならない。リピータ機器が、ソース機器への再認証通知要求する動作の間、シンク機器に映像出力するまでの時間が長くなる。また、ソース機器は、HDCP2.2認証からHDCP1.4認証にバージョンを変更する場合、解像度の変更、HDR機能の無効等の処理を行う。このような解像度変更、HDR機能の無効化の動作等の処理に必要な時間だけ、ソース機器からリピータ機器への映像出力に遅延が生じる。
【００２５】
従来技術においては、リピータ機器は、接続されるHDCP2.2対応のソース機器に、HDCP2.2認証が可能となるように、DDCラインで、リピータ機器の入力ポートのHDCPのバージョンが、2.2であることを通知している。本実施形態では、上述したソース機器への再認証通知を要求する動作を省略する。
【００２６】
図２に示すように、ＡＶアンプ１の制御部２は、テレビ２００とのHDCP認証を、HDCP1.4で行う場合、ＢＤプレーヤー１００が、ＡＶアンプとのHDCP認証を、HDCP1.4で行うように、ＢＤプレーヤー１００に通知する。具体的には、制御部２は、受信部７のレジスタに、入力ポート６が、HDCP1.4のみの対応であることを示すように変更する。ＢＤプレーヤー１００は、受信部７のレジスタを確認し、HDCP1.4でHDCP認証を行う。
【００２７】
図３は、テレビ２００とのHDCP認証開始後のＡＶアンプ１の処理動作を示すフローチャートである。制御部２は、テレビ２００とのHDCP認証を、HDCP2.2のバージョンで行うか否かを判断する（Ｓ１）。制御部２は、テレビ２００とのHDCP認証を、HDCP2.2のバージョンで行うと判断した場合（Ｓ１：Ｙｅｓ）、入力ポート６が、HDCP2.2対応可能であるように、受信部７のレジスタを変更する（Ｓ２）。制御部２は、ＢＤプレーヤー１００とのHDCP認証を行う（Ｓ３）。ここで、ＡＶアンプ１とＢＤプレーヤー１００との間で行われるHDCP認証のバージョンは、ＢＤプレーヤー１００に依存する。
【００２８】
制御部２は、テレビ２００とのHDCP認証を、HDCP2.2のバージョンで行わないと判断した場合（Ｓ１：Ｎｏ）、入力ポート６が、HDCP1.4のみ対応可能であるように、受信部７のレジスタを変更する（Ｓ４）。制御部２は、ＢＤプレーヤー１００とのHDCP認証を、HDCP1.4のバージョンで行う（Ｓ５）。Ｓ３、又は、Ｓ５の処理の後、制御部２は、ＢＤプレーヤー１００とテレビ２００との間で、HDCP認証が成立したか否かを判断する（Ｓ６）。制御部２は、ＢＤプレーヤー１００とテレビ２００との間で、HDCP認証が成立していないと判断している間は（Ｓ６：Ｎｏ）、Ｓ６の処理を繰り返し実行する。制御部２は、ＢＤプレーヤー１００とテレビ２００との間で、HDCP認証が成立したと判断した場合（Ｓ６：Ｙｅｓ）、ＢＤプレーヤー１００からの映像信号を、テレビ２００に出力する（Ｓ７）。
【００２９】
以上説明したように、本実施形態では、制御部２は、テレビ２００（シンク機器）との認証を、HDCP1.4（第１の認証）で行う場合、ＡＶアンプ１（自機器）が、HDCP1.4（第１の認証）と異なるHDCP2.2（第２の認証）に対応可能であっても、ＢＤプレーヤー１００（ソース機器）が、HDCP1.4（第１の認証）で、ＡＶアンプ１（自機器）との認証を行うように、ＢＤプレーヤー１００（ソース機器）に通知する。これにより、ＢＤプレーヤー（ソース機器）は、ＡＶアンプ１（中継装置）との再認証を行わない。このため、ＢＤプレーヤー１００（ソース機器）とテレビ２００（シンク機器）との認証のバージョンが異なる場合であっても、映像を出力するまでに必要な時間を短くすることができる。また、再認証が行われないため、映像出力の失敗が防止される。
【００３０】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００３１】
本発明は、ソース機器が出力した映像信号等をシンク機器に出力する中継装置に好適に採用され得る。
【符号の説明】
【００３２】
１  ＡＶアンプ（中継装置、リピータ機器）
２  制御部
６  入力ポート
７  受信部
９  送信部
１０  出力ポート
１００  ＢＤプレーヤー（ソース機器）
２００  テレビ（シンク機器）
【図１】
2020102744.tif 000003
【図２】
2020102744.tif 000004
【図３】
2020102744.tif 000005
【図４】
2020102744.tif 000006
【図５】
2020102744.tif 000007